(57)【要約】      （修正有）【課題】宝飾品および装身具の留め具部に連結するクラスプであって、工具や特殊な連結手段を必要とせず、容易に取り付けおよび取り外しが可能なクラスプを提供する。【解決手段】留め具に、かん３の役割を備える設計を、前記留め具の尺寸を変更せずに施し、かん３を削除する。仮に、この部材をＡとする。と共に留め具２に、引き輪４の役割を備える設計を、前記留め具２の尺寸を変更せずに施し、引き輪４を削除する。仮に、この部材をＢとする。前記部材Ａと、Ｂと、は連結および分離可能な一対の部材とする。かつ、部材Ａと、Ｂと、が任意の方向から力が作用しても容易に分離しない固定手段として、相互の連結面に、連結時にそれぞれ合致する凸部を設ける。【選択図】図２
2015213724.tif 000002
【特許請求の範囲】
【請求項１】
本発明のクラスプ１は、第１の部材２と、第２の部材３と、からなるクラスプである。
【請求項２】
第１の部材２と、第２の部材３とは相互に連結および分離可能であり、第１の部材２に設けられたフック状部材と、第２の部材に設けられた環状部材に、宝飾品および装身具の両側端部に設けられた留め具を連結可能としたクラスプである。
【請求項３】
第１の部材２と、第２の部材３との連結時に、第２の部材３に設けられた凸部材９は、第１の部材２の溝部８に合致し、第１の部材２に設けられた凸部材１６が、部材２と３との連結時にａの方向と、ｂの方向に力が作用した場合、凸部材９を固定し、任意の方向に容易に分離しない。
【請求項４】
相互に連結固定された第１の部材２と、第２の部材３とを分離させるには、連結時にユーザーが指を用いて、第１の部材２に設けられた円柱状の凸部材１０と、第２の部材３に設けられた円柱状の凸部材１１とを、図３のｃの方向と、ｄの方向に同時に指圧することで、第１の部材２に設けられた凸傾斜部１２は、第２の部材３に設けられた凹傾斜部材１５を、図３にあるｅの方向にスライドし、一方、第２の部材３に設けられた凸傾斜部１４は、第１の部材２に設けられた凹傾斜部材１３を、図３にあるｆの方向にスライドすることで、第１の部材２と、第２の部材３との連結面は、それぞれ傾斜部材の傾斜角度に伴い、互いに斜め方向にスライドし、第２の部材３に設けられた凸部材９は、第１の部材２に設けられた溝部８から浮上するように離脱し、結果、第１の部材２と第２の部材３は連結固定を解除する。
【発明の詳細な説明】
【技術分野】
【０００１】本発明は、宝飾品および装身具用のクラスプに関するものである。
【背景技術】
【０００２】宝飾品および装身具に容易に取り付けおよび取り外しを可能とするクラスプ（詳細は特許文献１参照）は、ユーザーが既に所持している、宝飾品および装身具の留具部に、容易に連結可能で、前記クラスプを連結した当該宝飾品および装身具の着脱を容易にする役割を果たす。【０００３】しかし、前述する宝飾品および装身具に容易に取り付けおよび取り外しを可能とするクラスプ（詳細は特許文献１参照）は、６点の部材で構成されており、前記クラスプを宝飾品および装身具に連結すると、意図せぬ尺寸の拡張と、重量による負荷と、連結箇所の美観性を損なう、問題があった。【０００４】また、前記クラスプの連結手段は、留め具（１）と、（２）と、にそれぞれ設けられた磁性体（５）の磁力のみを連結手段としており、従来の留具、即ち引き輪（詳細は特許文献２参照）に比べ、連結力に乏しく、任意の方向に力が作用すると容易に分離する問題があった。
【先行技術文献】
【特許文献】
【０００５】
【特許文献１】特開２００７−０６８９４７
【特許文献２】特開２００８−０３６２４４
【発明が解決しようとする課題】
【０００６】しかしながら、従来の宝飾品および装身具に容易に取り付けおよび取り外しが可能なクラスプにおいて、意図せぬ尺寸の拡張と、かつ重量による負荷と、かつ連結箇所の美観性を損なう、かつ任意の方向に力が作用しても容易に分離しない、と共に分離を目的に容易に連結固定手段を解除する、という問題を解決するクラスプは実現していない。そこで、従来の宝飾品および装身具に容易に取り付けおよび取り外しが可能なクラスプの役割を有し、かつ前述する問題を解決するクラスプの実現が望まれている。
【課題を解決するための手段】
【０００７】上述の問題を解決するために、従来の宝飾品および装身具に容易に取り付けおよび取り外しが可能なクラスプ（詳細は特許文献１参照）において、特許文献１を例に説明すると、留め具（１）に、かん（３）の役割を備える設計を、前記留め具（１）の尺寸を変更せずに施し、かん（３）を削除する。仮に、この部材をＡとする。と共に留め具（２）に、引き輪（４）の役割を備える設計を、前記留め具（２）の尺寸を変更せずに施し、引き輪（４）を削除する。仮に、この部材をＢとする。前記部材Ａと、Ｂと、は連結および分離可能な一対の部材とする。かつ、部材Ａと、Ｂと、が任意の方向から力が作用しても容易に分離しない固定手段として、相互の連結面に、連結時にそれぞれ合致する凸部を設ける。かつ、容易に固定を解除する解除手段として、相互の連結面に、連結時にそれぞれ合致する、凸傾斜部と、凹傾斜部と、を設ける。
【発明の効果】
【０００８】本発明の宝飾品および装身具に容易に取り付けおよび取り外し可能なクラスプによれば、クラスプの構成部材の削減により、尺寸と重量の問題を解決し、かつ連結箇所の美観性を損わず、かつ任意の方向に力が作用しても容易に分離しない、と共に分離を目的に連結固定を容易に解除する手段を有するクラスプが実現する。
【図面の簡単な説明】
【０００９】
【図１】本発明の一実施形態に係るクラスプの外形を示す斜視図である。
【図２】本発明の一実施形態に係るクラスプの内形を示す斜視図である。
【図３】本発明の一実施形態に係るクラスプの外形を示す図であり、横から見た図である。
【発明を実施するための形態】
【００１０】本発明の一実施形態に係るクラスプの構造および機能を以下に詳細に説明する。
【００１１】図１は、本発明の実施形態に係るクラスプ１の外形を示している。図１は本発明のクラスプの傾斜図、図２は図１の分離時の傾斜図である。図示のように、クラスプ１は、主に図２にある第１の部材２と第２の部材３とで構成されて、双方の部材は相互に分離可能に連結することができる。
【００１２】第一の部材２には一体となったフック状の側端部材６が形成されており、この側端部材には宝飾品および装身具の一側端部に設けられた留め具、即ち、プレート、またはダルマカン、またはアジャスターを連結することができる。側端部材６は、Ｌ：０．７ｍｍ×Ｈ：０．７ｍｍの四角柱で形成されており、７ｍｍから１１ｍｍのプレートまたはダルマカンと、宝飾市場で主に使用されるアジャスターの連結が可能である。また、凸部材１６に設けられた凸傾斜部材１２と、凹傾斜部材１３は、第２の部材３との連結時に、第２の部材３の凹傾斜部材１５と、凸傾斜部材１４とに相互に合致する。また、凸部材１６の中央部には磁石材４が設けられており、設材１６は磁石材４の上部まで伸長していない。したがって、磁石材４は外部に露出している状態となっている。
【００１３】一方、第２の部材３には一体となった環状の側端部材７が形成されており、この側端部材には宝飾品および装身具の一側端部に設けられた留め具、即ち、引き輪、またはカニカンを連結することができる。側端部材７の内径はＷ：４．３ｍｍ×Ｌ：１．８ｍｍ×Ｈ：２ｍｍで、５ｍｍから８ｍｍの引き輪、７ｍｍから１５ｍｍカニカンの連結が可能である。また、第２の部材３に設けられた凸傾斜部材１４と、凹傾斜部材１５は、第１の部材２との連結時に、第１の部材２の凹傾斜部材１３と、凸傾斜部材１２とに相互に合致する。また、第２の部材３の中央には、磁石材５が設けられており、設材である第２の部材３は磁石材５の上部まで伸張していない。したがって、磁石材５は外部に露出している状態となっている。
【００１４】第１の部材２と、第２の部材３とを所定の距離まで接近させると、第１の部材２に設けられた磁石材４と、第２の部材３に設けられた磁石材５との間に磁力が発生し、第１および第２の部材２、３は相互の引き付け合う。その結果、図１に示すように、第１の部材２と、第２の部材３とは相互に接触し、ユーザーが目視せずとも正しい位置に誘導され、容易に連結する。
【００１５】第１の部材２と、第２の部材３とが連結するすると、第２の部材３に設けられた凸部材９が、第１の部材２の溝部８に合致することで、第１の部材２と、第２の部材３とが連結時に、ａの方向またはｂの方向に力が作用した場合、第１の部材２に設けられた凸部材１６と、第２の部材３に設けられた凸部材９とが互いに固定しあい、容易に分離しない構造となっている。
【００１６】一方、相互に連結固定された第１の部材２と、第２の部材３とを分離させるには、連結時にユーザーが指を用いて、第１の部材２に設けられた円柱状の凸部材１０と、第２の部材３に設けられた円柱状の凸部材１１とを、図３のｃの方向と、ｄの方向に同時に指圧することで、第１の部材２に設けられた凸傾斜部１２は、第２の部材３に設けられた凹傾斜部材１５を、図３にあるｅの方向にスライドし、一方、第２の部材３に設けられた凸傾斜部１４は、第１の部材２に設けられた凹傾斜部材１３を、図３にあるｆの方向にスライドすることで、第１の部材２と、第２の部材３との連結面は、それぞれ傾斜部材の傾斜角度に伴い、互いに斜め方向にスライドし、第２の部材３に設けられた凸部材９は、第１の部材２に設けられた溝部８から浮上するように離脱し、結果、第１の部材２と第２の部材３は連結固定を解除する。
【００１７】以上に渡って本発明の一実施形態に係るクラスプ１の構造および機能について説明したが、本発明のクラスプはこれらの構造および機能に限定されるものではない。例えば、本発明のクラスプのように、第１の部材２と、第２の部材３とで構成された宝飾品および装身具に容易に取り付けおよび取り外し可能なクラスプならば、如何なる構造の第１および第２の部材で構成されたとしても本発明の範囲に属する。また、第１および第２の部材２、３は、相互に表面磁極の異なる磁石材４、５を有しているが、本発明はこの構造に限定されるものではない。代替え的に、当該第１および第２の部材の一方のみ磁石材を有し、他方は磁石材の代わりに鉄などの強磁性体からなる部材を備えてもよい。
【００１８】また、クラスプ１を構成する各構成要素の材料は特定のものに限定されるものではなく、各種磁石材、金属、樹脂等の任意の素材を用いてもよい。ただし、磁石材による誘導に影響を与えないように、磁石材以外の部分には強磁性体の材料を使用しない必要がある。同様に、各部材の製法も削り、張り合わせ、エッチング、金型やプレス機を用いたモールド加工等、任意の加工手法を用いてよい。
【００１９】以上、本発明を図面に示した実施形態を用いて説明したが、これらは例外的なものに過ぎず、本技術分野の当業者ならば、本発明の範囲および趣旨から外れない範囲で多様な変更および変形が可能なことは理解できるであろう。したがって、本発明の範囲は、説明された実施形態によって定められず、特許請求の範囲に記載された技術的趣旨により定められねばならない。
【産業上の利用可能性】
【００２０】ユーザーが既に所持している宝飾品および装身具の留め具部に、容易に取り付けおよび取り外し可能なクラスプであり、当該宝飾品および装身具に連結することで、留め具部を磁気による着脱手段に変換し、着脱の煩わしさを軽減する役割を果たす。
【符号の説明】
【００２１】１      クラスプ
２      第１の部材
３      第２の部材
４      磁石材
５      磁石材
６      フック状部材
７      環状部材
８      溝部
９      凸部材
１０    円柱状の凸部材
１１    円柱状の凸部材
１２    凸傾斜部材
１３    凹傾斜部材
１４    凸傾斜部材
１５    凹傾斜部材
ａ      任意の方向に作用する力の方向
ｂ      任意の方向に作用する力の方向
ｃ      指圧により係る力の方向
ｄ      指圧により係る力の方向
ｅ      スライド方向
ｆ      スライド方向
【図１】
2015213724.tif 000003
【図２】
2015213724.tif 000004
【図３】
2015213724.tif 000005